(57)【要約】      （修正有）【課題】薄型ディスプレイ装置が設けてあるスライド体を収納部から引き出し、この薄型ディスプレイ装置を立てた場合でも床頭台が倒れず、安定した状態が維持できるようにした床頭台を提供する。【解決手段】床頭台Ｓは、下部収納体１と上部収納体２と液晶ディスプレイ４を備えている。上部収納体２は、側板２０と天板２１と底板２２によって内部にディスプレイ収納部２３がつくられるよう形成してある。ディスプレイ収納部２３の前側には、開閉シャッター２４がスライド可能に設けてある。上部収納体２のディスプレイ収納部２３内には、前後方向にスライド可能なスライド板３が設けてある。液晶ディスプレイ４は、スライド板３の上面上に取り付けてある。下部収納体１の後板１７には、スライド板３をディスプレイ収納部２３から引き出して、液晶ディスプレイ４をスライド板３の前側に立てた状態にしたときにバランスを取るカウンターウェイト５が設けてある。【選択図】図２
2006296755.tif 000002
【特許請求の範囲】
【請求項１】
床頭台本体と、
スライド可能に設けてあるスライド体と、
上記スライド体に設けてある薄型ディスプレイ装置と、
上記スライド体を引き出して薄型ディスプレイ装置の位置が変化した場合でも、当該床頭台本体が倒れないようバランスを取るカウンターウェイトと、
を備えたことを特徴とする、
薄型ディスプレイ装置を備えた床頭台。
【請求項２】
収納部を有する床頭台本体と、
前後方向にスライドして上記収納部に対して出入り可能に設けてあるスライド体と、
上記スライド体に設けてある薄型ディスプレイ装置と、
上記スライド体を上記収納部から引き出して薄型ディスプレイ装置の位置が変化した場合でも、当該床頭台本体が倒れないようバランスを取るカウンターウェイトと、
を備えたことを特徴とする、
薄型ディスプレイ装置を備えた床頭台。
【請求項３】
カウンターウェイトは床頭台本体に着脱可能であり、重量の異なる薄型ディスプレイ装置に見合ったものと交換できるよう構成してあることを特徴とする、
請求項１または２記載の薄型ディスプレイ装置を備えた床頭台。
【請求項４】
薄型ディスプレイ装置は、垂直方向に対して周方向に回動可能なよう構成してあることを特徴とする、
請求項１，２または３記載の薄型ディスプレイ装置を備えた床頭台。
【発明の詳細な説明】
【技術分野】
【０００１】
本発明は薄型ディスプレイ装置を備えた床頭台に関する。更に詳しくは、薄型ディスプレイ装置が設けてあるスライド体を収納部から引き出し、この薄型ディスプレイ装置を立てた場合でも床頭台が倒れず、安定した状態が維持できるようにしたものに関する。
【背景技術】
【０００２】
病院のベッドの横には床頭台といわれる収納庫が設けられている。床頭台は、上部に物品が載置可能な天板を備え、その下部に前方に引き出し可能な載置台や収納部を備えたキャビネット構造を有している。また、その下部には移動が簡単にできるようキャスターが設けられている。通常、床頭台の天板上には、ブラウン管方式（ＣＲＴディスプレイ）のテレビ（テレビジョン受信機）が設置されている。
【０００３】
ところで近年、テレビやコンピュータのディスプレイ装置は、生産技術の向上により量産化が容易になったこと等から、ブラウン管方式のものから液晶方式等の軽量で薄型（薄型ディスプレイ装置）なものに急速に移行している。
【０００４】
このような薄型ディスプレイ装置を用いたものとして、例えば、薄型ディスプレイ装置を引き出し可能なスライド体上に倒した状態で収納部内に出入り可能に設けて、必要なときにスライド体を引き出して薄型ディスプレイ装置を立てて使用するようにした技術が開発されている（例えば、特許文献１）。
本発明者は、この技術を床頭台にも用いることができないか研究を重ねた。
【０００５】
【特許文献１】特開２００１−２１７５５９号公報
【発明の開示】
【発明が解決しようとする課題】
【０００６】
しかし、上記した技術を床頭台に用いることは、そう簡単なことではなかった。
通常、床頭台の収納部には、着替えやタオル、お菓子や缶詰等の食品などしか収納されておらず、患者によっては空の場合もある。そのため重量がそれほどなく、上記技術を床頭台に用いた場合では、スライド体を引き出して薄型ディスプレイ装置を立てたときに、この薄型ディスプレイ装置の重量がスライド体の先端側にかかって、これにより床頭台自体が前方に倒れてしまい易くなることが考えられる。ましてや床頭台には、下部にキャスターが設けられているので、他の家具より倒れ易く危険である。
【０００７】
本発明者は、上記課題を解決すべく鋭意研究を重ねた。そうしてスライド体が引き出される前方側と反対側にあたる後方側にカウンターウェイトを設けて、スライド体が引き出された場合でもバランスを取ることができるようにすれば、上記した課題が解決できるのではないかとの着想を得た。
本発明は上記着想に基づき完成されたものである。
【０００８】
本発明の目的は、薄型ディスプレイ装置が設けてあるスライド体を収納部から引き出し、この薄型ディスプレイ装置を立てた場合でも床頭台が倒れず、安定した状態が維持できるようにすることにある。
【課題を解決するための手段】
【０００９】
上記目的を達成するために本発明が講じた手段は次のとおりである。
第１の発明にあっては、
床頭台本体と、
スライド可能に設けてあるスライド体と、
上記スライド体に設けてある薄型ディスプレイ装置と、
上記スライド体を引き出して薄型ディスプレイ装置の位置が変化した場合でも、当該床頭台本体が倒れないようバランスを取るカウンターウェイトと、
を備えたことを特徴とする、
薄型ディスプレイ装置を備えた床頭台。
【００１０】
第２の発明にあっては、
収納部を有する床頭台本体と、
前後方向にスライドして上記収納部に対して出入り可能に設けてあるスライド体と、
上記スライド体に設けてある薄型ディスプレイ装置と、
上記スライド体を上記収納部から引き出して薄型ディスプレイ装置の位置が変化した場合でも、当該床頭台本体が倒れないようバランスを取るカウンターウェイトと、
を備えたことを特徴とする、
薄型ディスプレイ装置を備えた床頭台である。
【００１１】
第３の発明にあっては、
カウンターウェイトは床頭台本体に着脱可能であり、重量の異なる薄型ディスプレイ装置に見合ったものと交換できるよう構成してあることを特徴とする、
第１または第２の発明に係る薄型ディスプレイ装置を備えた床頭台である。
【００１２】
第４の発明にあっては、
薄型ディスプレイ装置は、垂直方向に対して周方向に回動可能なよう構成してあることを特徴とする、
第１，第２または第３の発明に係る薄型ディスプレイ装置を備えた床頭台である。
【００１３】
薄型ディスプレイ装置としては、特に限定するものではないが、例えば、液晶ディスプレイ（ＬＣＤ：Liquid Crystal Display）、プラズマディスプレイ（ＰＤＰ：Plasma Display Panel ）、有機または無機ＥＬディスプレイ（ElectroLuminescent Display ）、薄型のリアプロジェクション、薄型のＣＲＴ（Cathode Ray Tube ）等を挙げることができる。
【００１４】
（作  用）
本発明に係る薄型ディスプレイ装置を備えた床頭台の作用を説明する。
床頭台に設けた薄型ディスプレイ装置は、スライド体を前方向にスライドさせて使用される。このようにスライド体を引き出して薄型ディスプレイ装置の位置が変化した場合において床頭台は、カウンターウェイトによってバランスが取られた状態になる。
【００１５】
カウンターウェイトが床頭台本体に着脱可能であるのものは、例えば、薄型ディスプレイ装置を交換して重量の異なるものを設けたような場合でも、それに見合ったものと交換して、バランスを取ることができる。
【００１６】
薄型ディスプレイ装置が、垂直方向に対して周方向に回動可能なよう構成してあるものは、薄型ディスプレイ装置を回動することにより患者側に向けることができる。
【発明の効果】
【００１７】
本発明は上記構成を備え、次の効果を有する。
（ａ）本発明に係る床頭台は、スライド体を引き出して薄型ディスプレイ装置の位置が変わった場合でも、カウンターウェイトによってバランスが取られた状態になるので、薄型ディスプレイ装置を立てた場合でも床頭台が倒れず、安定した状態が維持できる。
【００１８】
（ｂ）カウンターウェイトが床頭台本体に着脱可能であるのものは、例えば、薄型ディスプレイ装置を交換して重量の異なるものを設けたような場合でも、それに見合ったものと交換して、バランスを取ることができる。
【００１９】
（ｃ）薄型ディスプレイ装置が、垂直方向に対して周方向に回動可能なよう構成してあるものは、薄型ディスプレイ装置を回動することにより患者側に向けることができ、患者は薄型ディスプレイ装置をベッドに寝た状態のままで見ることができる。
【発明を実施するための最良の形態】
【００２０】
本発明の実施の形態を図面に基づき更に詳細に説明する。
図１は本発明に係る床頭台の一実施の形態を示すものであり、収納部からスライド体を前方に引き出した状態を示す斜視説明図、
図２は図１に示す床頭台を後方から見た状態を示す分解斜視説明図、
図３は図１に示す床頭台の縦断面説明図、
図４は図１に示す状態から薄型ディスプレイ装置を後方に倒してスライド体を下部収納体内に収納し、開閉シャッターを降ろした状態を示す斜視説明図、
図５は上部収納体を下部収納体に対して回動させた状態を示す斜視説明図である。
【００２１】
符号Ｓは薄型ディスプレイ装置を備えた床頭台（以下、単に「床頭台」と記載する）を示している。床頭台Ｓは、床頭台本体と薄型ディスプレイ装置である液晶ディスプレイ４を備えている。
【００２２】
床頭台本体は、収納部である下部収納体１と、下部収納体１の上部に載せて設けてあり、同じく収納部である上部収納体２を備えている。下部収納体１の底部には、キャスター１０・・・が取り付けてある。
下部収納体１は、三段の引出体１１，１２，１３と、前後方向にスライドして出入り可能な載置板１４を備えている。
【００２３】
上部収納体２は、前側が円弧状に形成してある二枚の側板２０，２０を有しており、この上部と下部に天板２１と底板２２を設けることで、内部にディスプレイ収納部２３がつくられるよう形成してある。各側板２０のディスプレイ収納部２３内にあたる前側から上側にかけての縁部には、所要深さを有する案内溝２００が形成してある。案内溝２００には、所要幅の板体を複数枚幅方向に並べて連結してなる開閉シャッター２４が、案内溝２００に沿ってスライド可能なよう側板２０，２０間に架設してある。また、上部収納体２の後板には、配線等を通すことができる貫通口２５が設けてある。
【００２４】
上部収納体２は、底板２２と下部収納体１の天板１５との間に回動軸１６を設けて、この回動軸１６を中心として周方向に回動可能なよう連結してある（図５参照）。
【００２５】
上部収納体２のディスプレイ収納部２３内の底板２２側には、前後方向にスライドしてディスプレイ収納部２３に対して出入り可能なスライド体であるスライド板３が設けてある。上記した液晶ディスプレイ４は、このスライド板３の上面上に取り付けてある。
【００２６】
液晶ディスプレイ４は、二枚の取着板４００，４０１が蝶番で繋いで形成してある取付具４０の一方の取着板４００をスライド板３に取り付け、他方の取着板４０１を液晶ディスプレイ４の背面に固定することで、倒してスライド板３上に寝せた状態にすることもでき、スライド板３の前側に立てた状態で固定することもできるよう設けてある。上記した取付具４０は、一方の取着板４００がボルトＢ１及びナットＮによりスライド板３に対して周方向に回動可能に取り付けてある。従って、取付具４０に固定された液晶ディスプレイ４もスライド板３の垂直方向に対して周方向に回動可能である（図２参照）。ディスプレイ収納部２３内におけるスライド板３の設置構造は、公知構造のものを用いたので説明は省略する。
【００２７】
図２を参照する。下部収納体１の後板１７には、スライド板３をディスプレイ収納部２３から引き出して、液晶ディスプレイ４をスライド板３の前側に立てた状態にしたときにバランスを取るカウンターウェイト５が設けてある。カウンターウェイト５は、所要の板厚を有する長方形状の金属板（鉄板）で形成してあり、その四隅側には貫通した取着孔５０・・・が形成してある。
【００２８】
また、下部収納体１の後板１７についてもカウンターウェイト５を取り付けるための取着孔１７０・・・が貫通して形成してある。各取着孔１７０には、取着ボルトＢ２が螺合可能なよう雌ネジ溝が設けてある螺合体１７１が取り付けてある。カウンターウェイト５は、下部収納体１の後板１７に当てた状態で、取着ボルトＢ２を取着孔５０に通して螺合体１７１にねじ込んで取り付けてある。
【００２９】
（作  用）
図１ないし図５を参照して本実施の形態で示す床頭台の作用を説明する。
床頭台Ｓに設けてある液晶ディスプレイ４は、次のようにして使用する。
まず、液晶ディスプレイ４をディスプレイ収納部２３内から引き出す。液晶ディスプレイ４は、開閉シャッター２４をスライドさせてディスプレイ収納部２３の前側を開口状態にし、スライド板３を前側に引き出して取り出される。そして、取付具４０の蝶番を中心として寝かせた状態から起こしてスライド板３の前側に立てられる（図１，図２，図３）。
【００３０】
液晶ディスプレイ４は、取付具４０を構成する一方の取着板４００がボルトＢ１及びナットＮによりスライド板３の垂直方向に対して周方向に回動可能に取り付けてあるので、液晶ディスプレイ４もスライド板３に対して周方向に回動可能である（図２参照）また、上部収納体２も下部収納体１に回動軸１６によって連結してあるので、下部収納体１の垂直方向に対して周方向に回動可能である（図５参照）。これにより液晶ディスプレイ４を患者側に向けたりすることができ、患者は液晶ディスプレイ４をベッドに寝た状態のままで見ることができる。
【００３１】
床頭台Ｓは、下部収納体１の後板１７にカウンターウェイト５が設けてあるので、スライド板３を前側に引き出して液晶ディスプレイ４をスライド板３の前側に立てた場合でもバランスを取ることができる。従って、床頭台Ｓは、キャスター１０が設けてあっても、また重量がそれほどない場合でも倒れにくく、液晶ディスプレイ４を立てたときの安定した状態が維持できる。
【００３２】
なお、液晶ディスプレイ４をディスプレイ収納部２３に収納する作業は、上記と逆の手順で行われる。即ち、液晶ディスプレイ４は、取付具４０の蝶番を中心として倒して寝かせた状態にし、スライド板３を押し込んでディスプレイ収納部２３に入れて、開閉シャッター２４をスライドさせてディスプレイ収納部２３の前側を閉じた状態にすることによって収納される。
【００３３】
床頭台Ｓの後板１７に設けられるカウンターウェイト５は、取着ボルトＢ２を取着孔５０に通して螺合体１７１にねじ込んで取り付けてあるので、取着ボルトＢ２の螺合体１７１への螺合状態を解除することで後板１７から取り外すことができる。つまり、カウンターウェイト５は着脱可能であるので、例えば、床頭台Ｓはカウンターウェイト５を外して軽量化を図った状態で運搬等することも可能である。また、例えば、液晶ディスプレイ４を交換して重量が変わった場合でも、カウンターウェイト５を見合った重量のものと交換することができ、この場合でも倒れにくくできる。
【００３４】
本実施の形態では、薄型ディスプレイ装置の位置が変化した場合でも、当該床頭台本体が倒れないようバランスを取る手段として、後板１７に着脱可能に設けられる金属板製のカウンターウェイト５を例示し、このカウンターウェイト５は取着ボルトＢ２を取着孔５０に通して螺合体１７１にねじ込んで取り付けるようにしたが、取付方法はこれに限定するものではない。例えば、後板側にポケットを設けて、板状のカウンターウェイトを差し込んで取り付けることができるようにすることもできる。また、カウンターウェイトの形態についても限定するものではなく、例えば、後板の厚みを厚くしたり、後板をパーティクルボード等の材料で形成したりして下部収納部の背面側を重くするようにして構成することもできる。
【００３５】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００３６】
【図１】本発明に係る床頭台の一実施の形態を示すものであり、収納部からスライド体を前方に引き出した状態を示す斜視説明図。
【図２】図１に示す床頭台を後方から見た状態を示す分解斜視説明図。
【図３】図１に示す床頭台の縦断面説明図。
【図４】図１に示す状態から薄型ディスプレイ装置を後方に倒してスライド体を下部収納体内に収納し、開閉シャッターを降ろした状態を示す斜視説明図。
【図５】上部収納体を下部収納体に対して回動させた状態を示す斜視説明図。
【符号の説明】
【００３７】
Ｓ  床頭台
１  下部収納体
１０  キャスター
１１，１２，１３  引出体
１４  載置板
１５  天板
１６  回動軸
１７  後板
１７０  取着孔
１７１ 螺合体
２  上部収納体
２０  側板
２００ 案内溝
２１  天板
２２  底板
２３  ディスプレイ収納部
２４  開閉シャッター
２５  貫通口
３  スライド板
４  液晶ディスプレイ
４０  取付具
４００，４０１  取着板
５  カウンターウェイト
５０  取着孔
【図１】
2006296755.tif 000003
【図２】
2006296755.tif 000004
【図３】
2006296755.tif 000005
【図４】
2006296755.tif 000006
【図５】
2006296755.tif 000007